【手続補正書】
【提出日】平成28年5月11日(2016.5.11)
【手続補正１】
【補正対象書類名】特許請求の範囲
【補正対象項目名】全文
【補正方法】変更
【補正の内容】
【特許請求の範囲】
【請求項１】
複数の光電変換素子と、マイクロレンズと、を含む画素が行列状に配置された画素部と、
第１のカウンタと第２のカウンタとを含む処理部と、
前記画素部からの信号を前記処理部へ提供する列信号線と、を備え、
前記画素は、前記複数の光電変換素子の各々の信号を加算することによって得られる第１の信号を前記列信号線に出力し、
第１の動作では、前記第１の信号に基づく信号を前記第１のカウンタと前記第２のカウンタの一方を用い他方を用いずにＡＤ変換することにより、前記処理部が第１のデジタル信号を生成し、
第２の動作では、前記第１の信号に基づく信号を前記第１のカウンタと前記第２のカウンタとを直列に接続して構成したカウンタを使ってＡＤ変換することにより前記処理部が第２のデジタル信号を生成する
ことを特徴とする撮像装置。
【請求項２】
前記画素は、前記複数の光電変換素子の内の一部のみの光電変換素子の信号に対応する第２の信号を前記列信号線に出力し、
前記第２の信号に基づく信号を前記第１のカウンタと前記第２のカウンタの前記一方を用い前記他方を用いずにＡＤ変換することにより、前記処理部が第３のデジタル信号を生成することを特徴とする請求項１に記載の撮像装置。
【請求項３】
前記撮像装置は減算処理部を更に備え、
前記減算処理部は前記第１のデジタル信号と前記第３のデジタル信号との差を得ることを特徴とする請求項２に記載の撮像装置。
【請求項４】
前記第１の動作では、前記処理部は前記第１のカウンタと前記第２のカウンタの前記一方を用い前記他方を用いずに、所定の値を初期値とした第１の方向のカウント動作によって、前記第２の信号に基づく信号をＡＤ変換することにより第３のデジタル信号を生成し、前記第３のデジタル信号を前記第１のカウンタと前記第２のカウンタの前記他方に記憶した後、
前記処理部は前記第１のカウンタと前記第２のカウンタの前記一方により、前記第３のデジタル信号の値を初期値とした前記第１の方向とは逆方向のカウント動作によって、前記第１の信号に基づく信号をＡＤ変換する
ことを特徴とする請求項２に記載の撮像装置。
【請求項５】
前記画素は、前記複数の光電変換素子の信号が転送される電荷電圧変換部と、前記電荷電圧変換部の電位に対応する信号を前記列信号線に出力する増幅トランジスタとを有し、
前記複数の光電変換素子の各々の信号が前記電荷電圧変換部で加算され、
前記増幅トランジスタが、前記複数の光電変換素子の各々の信号が加算された前記電荷電圧変換部の電位に対応する信号として、前記第１の信号を出力することを特徴とする請求項１乃至４のいずれか１項に記載の撮像装置。
【請求項６】
前記画素は、前記複数の光電変換素子の信号が転送される電荷電圧変換部と、前記電荷電圧変換部の電位に対応する信号を前記列信号線に出力する増幅トランジスタとを有し、
前記複数の光電変換素子の内の一部のみの光電変換素子の信号が前記電荷電圧変換部に転送され、
前記増幅トランジスタが、前記一部のみの光電変換素子の信号が転送された前記電荷電圧変換部の電位に対応する信号として、前記第２の信号を出力し、
前記複数の光電変換素子の各々の信号が前記電荷電圧変換部で加算され、
前記増幅トランジスタが、前記複数の光電変換素子の各々の信号が加算された前記電荷電圧変換部の電位に対応する信号として、前記第１の信号を出力することを特徴とする請求項２乃至４のいずれか１項に記載の撮像装置。
【請求項７】
複数の光電変換素子と、マイクロレンズと、を含む画素が行列状に配置された画素部と、
前記画素部からの信号を処理する処理部と、
前記画素部からの信号を前記処理部へ提供する列信号線と、
前記処理部の信号を出力する水平出力線と、を備え、
前記画素は、前記複数の光電変換素子の各々の信号を加算することによって得られる第１の信号を前記列信号線に出力し、
前記処理部は第１の容量と第２の容量とを含み、前記第１の容量は前記列信号線に電気的に接続された第１の端子を有し、前記第２の容量は前記列信号線に電気的に接続された第２の端子を有し、前記第１の端子と前記第２の端子とを接続することによって、前記第１の容量と前記第２の容量は前記列信号線に対して電気的に並列に接続され、
第１の動作では、前記第１の端子と前記第２の端子とが接続されていない状態で前記処理部は前記第１の信号に基づく信号を前記第１の容量に保持し、
第２の動作では、前記第１の端子と前記第２の端子とが接続された状態において前記処理部は前記第１の信号に基づく信号を前記第１の容量と前記第２の容量とに保持する
ことを特徴とする撮像装置。
【請求項８】
前記画素は、前記複数の光電変換素子の信号が転送される電荷電圧変換部と、前記電荷電圧変換部の電位に対応する信号を前記列信号線に出力する増幅トランジスタとを有し、
前記複数の光電変換素子の各々の信号が前記電荷電圧変換部で加算され、
前記増幅トランジスタが、前記複数の光電変換素子の各々の信号が加算された前記電荷電圧変換部の電位に対応する信号として、前記第１の信号を出力することを特徴とする請求項７に記載の撮像装置。
【請求項９】
前記処理部は第３の容量と第４の容量とを更に含み、前記第３の容量は前記列信号線に電気的に接続された第３の端子を有し、前記第４の容量は前記列信号線に電気的に接続された第４の端子を有し、前記第３の端子と前記第４の端子とを接続することによって、前記第３の容量と前記第４の容量とが前記列信号線に対して電気的に並列に接続され、
前記画素は、前記電荷電圧変換部の電位をリセットするリセット部をさらに有し、前記増幅トランジスタは、リセットされた前記電荷電圧変換部の電位に対応する信号として第３の信号を前記列信号線に出力し、
前記第１の動作では、前記第３の端子と前記第４の端子とが接続されていない状態で前記処理部は前記第３の容量に前記第３の信号に基づく信号を保持し、
前記第２の動作では、前記第３の端子と前記第４の端子とが接続された状態で前記処理部は、前記第３の容量と前記第４の容量に前記前記第３の信号に基づく信号を保持する
ことを特徴とする請求項８に記載の撮像装置。
【請求項１０】
前記第１の容量と前記第３の容量のそれぞれは、前記列信号線から信号が入力される電極を備え、前記第１の容量と前記第３の容量の各々の前記電極の形状が同一であることを特徴とする請求項９に記載の撮像装置。
【請求項１１】
前記処理部は、ゲインアンプを備え、
前記第１の信号に基づく信号は、前記第１の信号を前記ゲインアンプが増幅した信号であることを特徴とする請求項１乃至１０のいずれか１項に記載の撮像装置。
【手続補正２】
【補正対象書類名】明細書
【補正対象項目名】０００５
【補正方法】変更
【補正の内容】
【０００５】
本発明の撮像装置は、複数の光電変換素子と、マイクロレンズと、を含む画素が行列状に配置された画素部と、第１のカウンタと第２のカウンタとを含む処理部と、前記画素部からの信号を前記処理部へ提供する列信号線と、を備え、前記画素は、前記複数の光電変換素子の各々の信号を加算することによって得られる第１の信号を前記列信号線に出力し、第１の動作では、前記第１の信号に基づく信号を前記第１のカウンタと前記第２のカウンタの一方を用い他方を用いずにＡＤ変換することにより、前記処理部が第１のデジタル信号を生成し、第２の動作では、前記第１の信号に基づく信号を前記第１のカウンタと前記第２のカウンタとを直列に接続して構成したカウンタを使ってＡＤ変換することにより前記処理部が第２のデジタル信号を生成することを特徴とする。